(57)【特許請求の範囲】
【請求項１】
縦枠の前方にアウトセット状に配され、且つ、レール装置の上レールに上吊り支持される戸パネルと、
前記戸パネルの一側端を回転軸として、その下端を保持する回転保持部材とを備えた戸装置であって、
前記回転保持部材は、前記縦枠の高さ方向に延びた出隅部を介して隣接する両面に添設される枠取付本体部と、該枠取付本体部の下端より前方に突出した、前記回転軸を回転保持する保持部とを備え、
前記枠取付本体部と前記保持部は相互に別体に形成されており、
前記枠取付本体部は、前記縦枠の見込み面に沿って配される枠見込み側片と、前記縦枠の見付け面に沿って配される枠見付け側片と、該枠見付け側片の下端から前方に折曲延出した延出片とを備えている一方、
前記保持部は、前記延出片に重ねて連結固定される保持板材の上面に形成されており、
前記延出片、前記保持板材のいずれか一方には見付け方向に延びた左右調節用長孔を有し、他方には見込み方向に延びた前後調節用長孔を有していることを特徴とする戸装置。
【請求項２】
請求項１において、
前記枠取付本体部は前記枠見込み側片に固定具取付孔を備えている、戸装置。
【発明の詳細な説明】
【技術分野】
【０００１】
本発明は、縦枠の前方に配される戸パネルの一側端を回転軸として、その下端を保持する回転保持部材を用いた戸装置に関する。
【背景技術】
【０００２】
住宅等の戸枠に対して戸パネルを設置する際に、戸パネルを縦枠の前方に取り付けるアウトセット施工方式を採用することがある。たとえば特許文献１には、アウトセット構造の折戸に関する技術が開示されている。
【０００３】
このような施工方式によれば、縦枠および縦枠間の開口の形状や寸法に制約されることなく、戸パネルを施工することができる。また、その戸パネルを取り付けるために縦枠を取り替えたり、加工したりしなくてもよいという利点もある。したがって、種々の寸法の戸パネルを簡易に設置することができる。
【先行技術文献】
【特許文献】
【０００４】
【特許文献１】特開２００３−２７８５２号公報
【発明の概要】
【発明が解決しようとする課題】
【０００５】
しかしながら、上記文献のものでは、戸パネルの回転軸側の側端の下端に設けられたピボット軸を受けるピボット軸受け（回転保持部材）は、床面に設置されなければならない。つまり、戸パネルを設置するためには床面を加工しなければならず、面倒な作業が発生する。
【０００６】
また、戸パネルの新設において、下レールを設けず、戸パネルを床面から浮かせた状態に施工するフロート施工方式を採る場合がある。この施工方式によれば、床面を面一に形成でき、すっきりとした美観を表出できるが、その場合でもピボット軸受けについては床面に取り付ければならず、それにより床面の美観が損なわれるおそれがある。
【０００７】
本発明は、このような事情を考慮して提案されたもので、床面に取り付ける必要がなく、縦枠に簡易に取り付けできる回転保持部材を備えた戸装置を提供することにある。
【課題を解決するための手段】
【０００９】
上記目的を達成するために、本発明の戸装置は、縦枠の前方にアウトセット状に配され、且つ、レール装置の上レールに上吊り支持される戸パネルと、前記戸パネルの一側端を回転軸として、その下端を保持する回転保持部材とを備えた戸装置であって、前記回転保持部材は、前記縦枠の高さ方向に延びた出隅部を介して隣接する両面に添設される枠取付本体部と、該枠取付本体部の下端より前方に突出した、前記回転軸を回転保持する保持部とを備え、前記枠取付本体部と前記保持部は相互に別体に形成されており、前記枠取付本体部は、前記縦枠の見込み面に沿って配される枠見込み側片と、前記縦枠の見付け面に沿って配される枠見付け側片と、該枠見付け側片の下端から前方に折曲延出した延出片とを備えている一方、前記保持部は、前記延出片に重ねて連結固定される保持板材の上面に形成されており、前記延出片、前記保持板材のいずれか一方には見付け方向に延びた左右調節用長孔を有し、他方には見込み方向に延びた前後調節用長孔を有していることを特徴とする。
【発明の効果】
【００１１】
本発明の戸装置によれば、上述の構成となっているため、回転保持部材を床面に取り付ける必要がなく、床面をすっきりとした美観とすることができるフロート施工を実現することができる。また、回転保持部材の簡易な取り付けができる。
【図面の簡単な説明】
【００１２】
【図１】本発明の一実施形態に係る回転保持部材の説明図である。（ａ）は枠取付本体部の斜視図、（ｂ）は保持部を有した保持板材の斜視図である。
【図２】回転保持部材の取り付け態様を示す斜視図である。
【図３】（ａ）〜（ｃ）は、延出片と保持板材との位置合わせの方式を示す模式部分平面図である。
【図４】戸パネル（折戸）の取り付け態様および動作を示す概略模式平面図である。
【図５】（ａ）は回転保持部材を取り付けた戸装置（折戸装置）の概略斜視図、（ｂ）は（ａ）におけるＡ−Ａ線に対応した部分拡大縦断面図である。
【図６】（ａ）（ｂ）は、本発明の他の実施形態に係る回転保持部材の斜視図である。
【発明を実施するための形態】
【００１３】
以下に、本発明の実施の形態について、添付図面にもとづいて説明する。なお、本明細書および特許請求の範囲の記載においては、縦枠２１（戸枠２０）と戸パネル３０との位置関係にもとづいて、縦枠側２１を後方、戸パネル３０側を前方と規定する。
まず、以下の回転保持部材１０の概略基本構成について説明する。
【００１４】
図１〜図６に示すように、以下に説明する各実施形態に係る回転保持部材１０は、縦枠２１の前方に配される戸パネル３０の一側端を回転軸３１として、その下端を保持する部材である。この回転保持部材１０は、縦枠２１の高さ方向に延びた出隅部２１ａを介して隣接する両面に添設される枠取付本体部１１と、枠取付本体部１１の下端より前方に突出した、回転軸３１を回転保持する保持部１５ａ、１４ｂ（図１および図６参照）とを備えている。
【００１５】
このように、回転保持部材１０は縦枠２１に取り付けされるようになっているため、床面３（図５参照）に取り付けされずともよく、床面３を加工する必要がなく、床面３をすっきりとした美観に維持することができる。特に、戸パネル３０は縦枠２１の前方にアウトセット状に配されるにもかかわらず、回転保持部材１０は床面３に設ける必要がなく、縦枠２１に簡易に設けることができるので、利便性は高い。また、回転保持部材１０は縦枠２１の出隅部２１ａを介した隣接両面に取り付けられる構成であるため、簡易かつ安定的な取り付けが行える。
【００１６】
ついで、図１に示した回転保持部材１０の詳細な構成について、図１〜図５を参照して説明する。
【００１７】
図５（ａ）に示すように、この回転保持部材１０が取り付けられる戸枠２０は、上枠２２と、その上枠２２の両端に縦勝ちに立設された２つの縦枠２１とを有してなる。戸パネル３０の回転軸３１側の側端に隣接する縦枠２１（図５（ａ）の例では右側の縦枠２１）に、回転保持部材１０が取り付けられる。なお、本実施形態では、２枚の戸パネル３０を折り畳み、展開自在に連結してなる折戸３０Ａを例示した。
【００１８】
図５（ａ）に示した折戸３０Ａは、戸枠２０の前方にアウトセット状に設置されるものである。この折戸３０Ａは、図中の右側の縦枠２１に隣接する、折戸３０Ａを構成する一方の戸パネル３０の下端が、回転保持部材１０によって回転保持される。この右側（以下、ヒンジ側という）の戸パネル３０は右の側端に回転軸３１を有し、これを軸として回動する。また、左側（以下、動作側という）の戸パネル３０は、戸パネル３０間の連結部が回動し、かつ左の側端が回動しながら上レール２３を走行する構成となっている。
【００１９】
回転保持部材１０は、このようなアウトセット施工方式の折戸３０Ａのヒンジ側の戸パネル３０の回転軸３１の下端に設けられたピボット軸３１ａを下方より回転保持するように取り付けされる部材である。
【００２０】
本回転保持部材１０は２部材よりなり、図１（ａ）に示した枠取付本体部１１と、図１（ｂ）に示した保持板材１５とを有している。
【００２１】
枠取付本体部１１は、縦枠２１の見込み面２１ｂ（図２参照）に沿って配される枠見込み側片１２と、縦枠２１の見付け面２１ｃ（図２参照）に沿って配される枠見付け側片１３と、枠見付け側片１３の下端から前方に折曲延出した延出片１４とを備えている。
【００２２】
枠見込み側片１２と枠見付け面側片１３とは、一体として横断面がＬ字状に形成されている。枠見付け側片１３は、縦枠２１の見付け面２１ｃ（図２参照。厚み面、木口面）の小さな見付け寸法（厚さ寸法）に合わせて、縦枠２１の他方の出隅部２１ｄより外方に突出しないような幅寸法となっている。
【００２３】
枠見込み側片１２は縦枠２１の見込み面２１ｂの見込み寸法（奥行き）に合わせて、その幅寸法は枠見付け側片１３の幅寸法にくらべ大きい。枠見込み側片１２には、幅方向の略中央に上下方向に３つの丸孔が並んで開設されている。これらの丸孔が固定具取付孔１２ａを構成する。
【００２４】
すなわち、この回転保持部材１０は、枠取付本体部１１が縦枠２１に固定される構成となっている。特に本実施形態においては、図２に示すように、枠見込み側片１２に形成された固定具取付孔１２ａを介して、ねじ等の固定具１７で縦枠２１の見込み面２１ｂに枠取付本体部１１が固定されるようになっている。
【００２５】
このように、回転保持部材１０は見込み面２１ｂに固定具１７で固定される構成であるため、回転保持部材１０を縦枠２１の木口面で固定具１７止めしなくてもよく、ねじ止め作業がしやすい。また、正面から固定具１７（ねじ）の頭部が見えないので美観もよい。また、出隅部２１ａへあてがうようにする取り付け構造であるため、見込み面２１ｂでの固定具１７止めだけでも、取り付けされた回転保持部材１０がぐらつくおそれはない。
【００２６】
また、延出片１４は、枠見付け側片１３の下端から、枠見付け側片１３とのなす角度がほぼ直角となるように前方に突出形成されている。図１（ａ）に示すように、延出片１４の幅寸法は枠見付け側片１３の幅寸法よりも十分に大きい。延出片１４の一方の（図１（ａ）中の右側の）側端縁は枠見付け側片１３の開放側の側端縁位置に揃っており、延出片１４の他方の側端縁が見付け側片１３の他の側端縁位置を越えるように延出している。また、延出片１４には見込み方向に長い２つの長孔を有している。これらの長孔は前後調節用長孔１４ａを構成する。
【００２７】
一方、図１（ｂ）に示した保持板材１５は、枠取付本体部１１の延出片１４の上面に連結固定される板材である。上述した保持部１５ａは、この保持板材１５に形成されている。すなわち、保持板材１５は、戸パネル３０の下端より突出したピボット軸３１ａ（図２参照）を挿通孔１５ａａに通して軸受けする保持部１５ａを有している。また、保持板材１５の後部には、見付け方向に長い２つの長孔がほぼ直線上に並んで開設されている。これらの長孔が左右調節用長孔１５ｂを構成する。
【００２８】
枠取付本体部１１の延出片１４と、保持板材１５とは、図２に示すように、保持板材１５が延出片１４の上面に載せ置かれた状態で連結固定されるようになっている。なお、保持板材１５は延出片１４に重ねて連結固定されればよく、延出片１４の下面に配するようにしてもよい。
【００２９】
枠取付本体部１１の延出片１４と保持板材１５との連結は、上下で相互に交差する２種の長孔の交差孔にボルト１８を通しナット１９で固定することでなされる。つまり、この回転保持部材１０は、図３（ａ）〜（ｃ）に例示するように、戸パネル３０（図５参照）の縦枠２１（図５参照）に対する取り付け位置を前後、左右方向に微調整できる構成となっている。図３（ａ）は標準的な連結位置、図３（ｂ）は戸パネル３０を最も左寄りに取り付ける場合の連結位置、図３（ｃ）は戸パネル３０を最も前方に取り付ける場合の連結位置である。
【００３０】
このように戸パネル３０の配設位置調整ができるようになっているため、戸パネル３０を縦枠２１に対して適切な位置に取り付けすることができる。また、これら長孔の位置の組み合わせにより、後付けする戸パネル３０の寸法と縦枠２１との間の寸法の誤差の調整を行うこともできる。また、保持板材１５を延出片１４の上面に載せ置いて連結固定する構成であるため、連結作業を効率よく行える。
【００３１】
なお、左右調節用長孔１５ｂ、前後調節用長孔１４ａは本図例のものには限られない。すなわち、延出片１４、保持板材１５のいずれか一方に見付け方向に延びた左右調節用長孔１５ｂが形成され、他方に見込み方向に延びた前後調節用長孔１４ａが形成されていればよい。もちろん、少なくとも一方の孔を丸孔としてもよい。また、延出片１４、保持板材１５の少なくとも一方は丸孔や長孔が形成されていないものとしてもよく、現場で開設されるようにしてもよい。
【００３２】
このような回転保持部材１０に保持された戸パネル３０（折戸３０Ａ）は、図４に示したように、回転軸３１を中心として、展開による閉動作、折り畳みによる開動作をなす。上述したように、動作側（左側）の戸パネル３０は、その開放側の側端が図４に示したように、上枠２２（図５参照）に沿って直線状に走行する。
【００３３】
このような戸パネル３０は、図５に示した戸装置１（折戸装置）のように、壁面５に取り付けされたレール装置４０の上レール４２に上吊り支持され、後述するランナー部材４５が上レール４２に吊り支持されながら走行することで開閉できるようになっている。このレール装置４０は、図５（ａ）に示すように、壁面５に沿って配設される上レール４２と、壁面５に固定されるレールベース４１とが連結固定されてなる。
【００３４】
レールベース４１は、図５（ｂ）に示すように、壁面５から略水平方向前方に突出するように配設される取付片部４１ｃと、この取付片部４１ｃの基端側（壁面５側）に、取付片部４１ｃの基端より折曲連成された上、下固定片４１ａ、４１ｂとを備えている。図５（ｂ）に示すように、レールベース４１は、下固定片４１ｂの下端面が上枠２２の上端面に当接し、上、下固定片４１ａ、４１ｂが壁面５に押し当てられた状態で、ねじ４８で固定される。
【００３５】
レールベース４１の取付片部４１ｃの長手方向の複数の箇所に、前後方向に長い長孔４１ｃａが開設されており、この長孔４１ｃａを介して取付片部４１の下面に上レール４２が連結、固定されるようになっている。
【００３６】
上レール４２は、図５（ｂ）に示すように、レールベース４１の取付片部４１ｃの下面に当接する基板部４２ａと、その基板部４２ａの前端より垂下した前面部４２ｂと、基板部４２ａの後端より垂下した後面部４２ｃとを備えている。基板部４２ａには、レールベース４１の長孔４１ｃａの位置に重合され得るように、長手方向の複数の箇所に固定具挿通孔（不図示）が開設されている。
【００３７】
上レール４２はさらに、前面部４２ｂおよび後面部４２ｃの下端のそれぞれに、相向かうように上レール４２の長手方向の全長にわたって突出したローラ案内片４２ｂａ、４２ｃａが形成されている。また、上レール４２はさらに、後面部４２ｃの下端より後方に向けて上レール４２の長手方向の全長にわたって突出した突出片４２ｃｂを備えている。
【００３８】
レールベース４１と上レール４２とは、取付片部４１ｃの長孔４１ｃａと基板部４２ａの固定具挿通孔とを重合させた状態でリベット等の固定具４９で固定される。この固定の際に、上レール４２の突出片４２ｃｂの先端が上枠２２の前面に当接することで、長孔４１ｃａの前後方向の適宜な位置で、レールベース４１と上レール４２との前後方向の相対位置関係が定まる。つまり、壁面５から戸枠２０（上枠２２）の前面までの寸法におうじて、レールベース４１と上レール４２との前後方向の相対位置関係を可変にすることができる。
【００３９】
また、上レール４２に突出片４２ｃｂが設けられているため、その長さにより戸パネル３０の戸枠前面からの出具合位置が定まる。そのため、その出具合位置におうじて、戸パネル３０の下部において、上述した、回転保持部材１０の延出片１４と保持部材１５の位置の調整を行えばよい（図３参照）。
【００４０】
図５に示した折戸装置では、ヒンジ側の戸パネル３０における縦枠２１側の側端の上端の軸部３１ｂは、上レール４２の端部に嵌合、固定したストッパ４３に回転保持されている。なお、上端における回転自在な構造としては、他の形状、構造の回転金具を用いた回転構造であってもよい。
【００４１】
また、動作側の戸パネル３０における開放側の側端の上端には、図５（ｂ）に示すように、ランナー部材４５が連結されている。このランナー部材４５は、上レール４２を走行するローラ４５ａと、戸パネル３０に連結される連結軸部４５ｂとを少なくとも備えている。この連結軸部４５ｂは、戸パネル３０に回転自在に取り付けられて上端の軸部３１ｂをなし、これにより折戸の折り畳み、展開動作が自在になされるようになっている。このようにして、動作側の戸パネル３０は、折戸の折り畳み、展開操作により、上レール４２に沿った直線状の走行動作（図５（ａ）における直線矢印参照）と、回転動作（同曲線矢印参照）とをなす。
【００４２】
なお、図５に示したレール装置４０は、レールベース４１と上レール４２とが別体となっているものであるが、一体のものであってもよい。また、レールベース４１の取付片部４１ｃの前端に上下方向に延びる幕板片（不図示）を設けて、取付片部４１ｃ、上、下固定片４１ａ、４１ｂ、上レール４２を前方から見えないようにした構成にしてもよい。
【００４３】
このように本戸装置１は、上側においては、レール装置４０で戸パネル３０を支持する構成となっている。なお、図５に示した上側の戸パネル３０の支持構造はこのようなものには限られず、他の支持構造であってもよく、少なくともヒンジ側の戸パネル３０の側端において、下端を回転保持するために図１に例示した回転保持部材１０を用いるようにすればよい。つまり、本戸装置１は上述したように、縦枠２１の前方に配される、一側端を回転軸３１とした戸パネル３０と、回転軸３１を回転保持する回転保持部材１０とを備えた構成とすればよい。
【００４４】
このように、戸装置１は図１に示した回転保持部材１０が用いてあるため、床面３に回転保持構造を形成する必要はなく、床面３を加工する面倒な作業は発生しない。また、図５に示した例は、下レールを有さないフロート施工構造の戸装置１であり、このような回転保持部材１０を用いることで、床面３を面一に形成でき、すっきりとした美観とすることができる。また、このようなフロート施工構造の戸装置１を土間などの種々の空間に施工すれば、その下方の空間を収納空間として利用することができる。
【００４５】
また、図１に示した回転保持部材１０は枠取付本体部１１と保持部１５ａ（保持板材１５）とが相互に別体となっているため、それらの組み合わせによる微調整が可能となる。特に、本実施形態のもののように、前後調節用長孔１４ａと左右調節用長孔１５ｂとを上下に交差させる構成にすれば、きわめて簡単な位置調整が行える。
【００４６】
回転保持部材１０は、このような別体構成によるものでなくてもよく、たとえば図６（ａ）（ｂ）に示すように一体構造のものであってもよい。これらに例示した回転保持部材１０はいずれも、枠取付本体部１１と保持部１４ｂとが一体成形された構造となっている。
【００４７】
図６（ａ）に示した回転保持部材１０は、延出片１４Ｂが枠取付本体部１１の枠見付け側片１３の下端から前方に折曲延出してあり、その延出片１４Ｂには挿通孔１４ｂａを有した保持部１４ｂが形成してある。また、図６（ｂ）に示した回転保持部材１０は、延出片１４Ｃが枠取付本体部１１の枠見込み側片１２の下端から前方に折曲延出してあり、その延出片１４Ｃには挿通孔１４ｂａを有した保持部１４ｂが形成してある。
【００４８】
このように、図６（ａ）（ｂ）に示した回転保持部材１０は一体構造となっているため、簡易に取り付けでき、アウトセット状の戸装置１の設置を簡易、迅速に実施することができる。
【００４９】
図１および図６（ａ）（ｂ）に示した回転保持部材１０の保持部１５ａはいずれも、戸パネル３０のピボット軸３１ａを軸受けする丸孔１５ａａ、１４ｂａを有した構成となっているが、これには限られない。丸孔１５ａａ、１４ｂａに代えて穴部（凹み）を設けてもよい。また、戸パネル３０の下端に穴部（凹み）を設け、この穴部に円柱状の突出部よりなる保持部を挿入して回転保持することのできる回転保持部材を用いてもよい。
【００５０】
また、以上では戸パネル３０の例として折戸３０Ａを例示したが、一側端が縦枠２１に取り付けた回転保持部材１０で回転保持される１枚の開閉戸であってもよい。開閉戸の場合、本回転保持部材１０と上下対称形状の上端用の回転保持部材を縦枠２１に取り付けて、開閉戸の上端の軸部を回転保持するようにしてもよい。このように、上下対称形状の２種の部材を用いれば、蝶番を用いることなく、縦枠２１を吊り元とし、その縦枠２１で開閉戸を回転保持することができる。なお、この場合の開閉戸の閉止は、開閉戸の他方の側端と、他方の縦枠２１との間の磁着等によりなされるようにすればよい。
【符号の説明】
【００５１】
１                戸装置
１０              回転保持部材
１１              枠取付本体部
１２              枠見込み側片
１２ａ            固定具取付孔
１３              枠見付け側片
１４              延出片
１４Ｂ、１４Ｃ    延出片
１４ａ            前後調節用長孔
１４ｂ            保持部
１５              保持板材
１５ａ            保持部
１５ｂ            左右調節用長孔
１７              固定具
２１              縦枠
２１ａ            出隅部
２１ｂ            見込み面
２１ｃ            見付け面
３０              戸パネル
３１              回転軸
【図１】
0006785466.tif 000002
【図２】
0006785466.tif 000003
【図３】
0006785466.tif 000004
【図４】
0006785466.tif 000005
【図５】
0006785466.tif 000006
【図６】
0006785466.tif 000007